(57)【要約】【課題】操作場所の自由度を向上させながら、文字入力を簡単に行うことが可能な文字入力システムを提供する。【解決手段】この文字入力システム１は、ユーザの両手の指の動きを認識する受信部１１と、複数の文字毎に予め組み分けされた文字グループを複数有する文字情報を格納する記憶部１５と、ユーザの指の動きに基づいて記憶部１５から文字を抽出する制御部１７と、を備える。制御部１７は、ユーザの一方の手の指の動きに基づいて、複数の文字グループから１個の文字グループを抽出するとともに、ユーザの他方の手の指の動きに基づいて、抽出した文字グループから１個の文字を抽出する機能を有する。【選択図】図３
2014115688.tif 000002
【特許請求の範囲】
【請求項１】
ユーザの両手の指の動きを認識する認識部と、
複数の文字毎に予め組み分けされた文字グループを複数有する文字情報を格納する記憶部と、
前記認識部が認識したユーザの指の動きに基づいて、前記記憶部から文字を抽出する文字抽出部と、
を備え、
前記文字抽出部は、ユーザの一方の手の指の動きに基づいて、複数の前記文字グループから１個の文字グループを抽出するとともに、ユーザの他方の手の指の動きに基づいて、抽出した前記文字グループから１個の文字を抽出する機能を有し、
文字入力の対象である入力対象装置には、前記文字抽出部により抽出された文字が入力されることを特徴とする文字入力システム。
【請求項２】
前記文字抽出部は、ユーザの一方の手のうちのいずれか１本の指がシングルタップまたはダブルタップすることにより、前記１個の文字グループを抽出するとともに、ユーザの他方の手のうちのいずれか１本の指がシングルタップまたはダブルタップすることにより、前記抽出した文字グループから前記１個の文字を抽出する機能を有することを特徴とする請求項１に記載の文字入力システム。
【請求項３】
前記ユーザの一方の手の指の動きにより、抽出する文字の５０音の行が特定され、
前記ユーザの他方の手の指の動きにより、抽出する文字の５０音の段が特定されることを特徴とする請求項１または２に記載の文字入力システム。
【請求項４】
ユーザの手の指に装着される複数の装着体をさらに備え、
前記文字抽出部は、ユーザの一方の手に装着された前記装着体の動きに基づいて、前記１個の文字グループを抽出するとともに、ユーザの他方の手に装着された前記装着体の動きに基づいて、前記１個の文字を抽出する機能を有することを特徴とする請求項１〜３のいずれか１項に記載の文字入力システム。
【請求項５】
ユーザの両手の指の動きを認識して文字入力を行う文字入力方法であって、
認識部がユーザの両手の指の動きを認識するステップと、
文字抽出部が、前記認識部が認識したユーザの一方の手の指の動きに基づいて、複数の文字毎に予め組み分けされた文字グループから１個の文字グループを抽出するとともに、前記認識部が認識したユーザの他方の手の指の動きに基づいて、抽出した前記文字グループから１個の文字を抽出するステップと、
文字入力の対象である入力対象装置に、前記文字抽出部により抽出された文字が入力されるステップと、
を備えることを特徴とする文字入力方法。
【発明の詳細な説明】
【技術分野】
【０００１】
この発明は、スマートフォンなどの電子機器（入力対象装置）に文字入力可能な文字入力システムおよび文字入力方法に関し、特に、ユーザの手の指の動きを認識して文字入力を行う文字入力システムおよび文字入力方法に関する。
【背景技術】
【０００２】
従来、パーソナルコンピュータ（電子機器）に文字入力を行う方法としては、キーボードを用いる方法が一般的である。しかしながら、キーボードを用いる方法では、キーボードを設置する場所が必要であり文字入力する場所に制限があるという不都合や、持ち運びが不便であるという不都合がある。
【０００３】
また、スマートフォン（電子機器）に文字入力を行う方法として、音声入力方式も採用されている。この方法では、キーボードを用いる場合と異なり、キーボードの設置場所を確保する必要がないとともに、持ち運びが不便であるということもない。しかしながら、音声入力方式では、声を出せない場所では文字入力ができないという不都合や、人の声や話し方によっては音声認識率が大きく低下する場合があるという不都合がある。
【０００４】
また、特許文献１には、ユーザの指に装着される複数のリング（装着体）と、リングの動きを画像認識するデジタルカメラ（認識部）を搭載したヘッドマウントディスプレイと、を用いたハンドジェスチャーの認識方法が開示されている。また、特許文献１には、複数のリングの位置姿勢をヘッドマウントディスプレイが画像認識することによって、物をつまんだり、物の長さを測ったりすることができる、と記載されている。
【０００５】
特許文献１では、キーボードを用いる場合と異なり、キーボードの設置場所を確保する必要がないとともに、持ち運びが不便であるということもない。また、音声入力方式の場合と異なり、声を出せない場所では使用できないという不都合もないし、人の声や話し方によっては音声認識率が大きく低下する場合があるという不都合もない。
【先行技術文献】
【特許文献】
【０００６】
【特許文献１】特開２０１０−２６７２２０号公報
【発明の概要】
【発明が解決しようとする課題】
【０００７】
しかしながら、特許文献１では、物をつまんだり、物の長さを測ったりといった比較的簡単な操作を行うことは可能であるが、文字入力といった比較的高度な操作を行うことは困難であるという問題点がある。
【０００８】
この発明は、上記のような課題を解決するためになされたものであり、この発明の目的は、操作場所の自由度を向上させながら、文字入力を簡単に行うことが可能な文字入力システムおよび文字入力方法を提供することである。
【課題を解決するための手段】
【０００９】
上記目的を達成するために、この発明の文字入力システムは、ユーザの両手の指の動きを認識する認識部と、複数の文字毎に予め組み分けされた文字グループを複数有する文字情報を格納する記憶部と、認識部が認識したユーザの指の動きに基づいて、記憶部から文字を抽出する文字抽出部と、を備え、文字抽出部は、ユーザの一方の手の指の動きに基づいて、複数の文字グループから１個の文字グループを抽出するとともに、ユーザの他方の手の指の動きに基づいて、抽出した文字グループから１個の文字を抽出する機能を有し、文字入力の対象である入力対象装置には、文字抽出部により抽出された文字が入力される。
【００１０】
なお、本明細書および特許請求の範囲において、「指の動きを認識する」とは、カメラ画像認識等で指の動きを認識する場合だけでなく、自身の動きを検知する装着体を指に装着して、装着体から検知情報を認識部に送信することにより、認識部が指や装着体の動きを認識する場合も含む概念である。また、「抽出された文字が入力される」とは、抽出された文字がそのまま入力される場合だけでなく、抽出された文字を例えば漢字に変換した後の文字が入力される場合も含む概念である。また、「文字」とは、ひらがな、カタカナ、アルファベット、漢字などだけでなく、数字や記号も含む概念である。
【発明の効果】
【００１１】
本発明によれば、ユーザの両手の指の動きを認識する認識部を備えることによって、ユーザが指を動かすことにより、認識部はユーザの指の動きを認識することができる。これにより、文字入力を行うために、キーボードを用いたり音声入力したりする必要がない。このため、キーボードを用いる場合と異なり、キーボードの設置場所を確保する必要がないとともに、持ち運びが不便であるということもない。また、音声入力方式の場合と異なり、声を出せない場所では使用できないという不都合もないし、人の声や話し方によって音声認識率が大きく低下する場合があるという不都合もない。
【００１２】
また、文字抽出部は、ユーザの一方の手の指の動きに基づいて、複数の文字グループから１個の文字グループを抽出するとともに、ユーザの他方の手の指の動きに基づいて、抽出した文字グループから１個の文字を抽出する。これにより、ユーザが両方の手の指を動かすだけで、文字の抽出を早く簡単に行うことができる。そして、文字入力の対象である入力対象装置に文字入力を行うことができる。
【図面の簡単な説明】
【００１３】
【図１】本発明の第１実施形態の文字入力システムをユーザの手に装着した状態を示した図である。
【図２】本発明の第１実施形態の文字入力システムの他の例をユーザの手に装着した状態を示した図である。
【図３】本発明の第１実施形態の文字入力システムの構成を示したブロック図である。
【図４】本発明の第１実施形態の文字入力システムの装置本体の表示部を示した図である。
【図５】本発明の第１実施形態の文字入力システムの装置本体の文字グループデータベースの文字情報を示した図である。
【図６】本発明の第１実施形態の文字入力システムの装置本体の文字グループデータベースおよび文字データベースの文字情報を概念的に表した図である。
【図７】本発明の第１実施形態の文字入力システムの装置本体の文字データベースの文字情報を示した図である。
【図８】本発明の第１実施形態の文字入力システムの動作を説明するためのフローチャートである。
【図９】本発明の第２実施形態の文字入力システムの装置本体のアルファベット用の文字グループデータベースの文字情報を示した図である。
【図１０】本発明の第２実施形態の文字入力システムの装置本体のアルファベット用の文字グループデータベースおよび文字データベースの文字情報を概念的に表した図である。
【図１１】本発明の第２実施形態の文字入力システムの装置本体のアルファベット用の文字データベースの文字情報を示した図である。
【発明を実施するための形態】
【００１４】
以下、本発明の実施形態について図面を参照して説明する。
【００１５】
＜第１実施形態＞
まず、図１〜図７を参照して、本発明の第１実施形態による文字入力システム１の構成について説明する。
【００１６】
本発明の第１実施形態の文字入力システム１は図１に示すように、ユーザの手の指に装着される複数（例えば１０個）の動作センサ（装着体）２と、動作センサ２の動きを認識することによりユーザの手の指の動きを認識する装置本体１０とを備える。
【００１７】
図１に示すように動作センサ２は手袋３に取り付けられるものであって、ユーザが手袋３をはめることにより動作センサ２が指に装着されてもよい。動作センサ２は手袋３の指部分の爪側に取り付けられていてもよいし、図示しないが手袋３の指部分の腹側に取り付けられていてもよい。また、手袋３は装置本体１０と一体に構成されていてもよい。
【００１８】
また、図２に示すように、動作センサ２は指に装着されるリング４に一体に設けられるものであって、ユーザがリング４をはめることにより動作センサ２が指に装着されてもよい。
【００１９】
動作センサ２は、図１および図２に示すように指先部分に装着されている。なお、動作センサ２は、図示しないが例えば指の付け根部分などに装着されてもよい。
【００２０】
動作センサ２は、自身の動きを検知する機能を有するとともに、検知した自身の動きに関する検知情報を装置本体１０に送信する機能を有する。具体的には、動作センサ２は加速度センサからなり、ユーザが被衝撃部材（机、ユーザの体、椅子、壁など）を叩いた際に加わる衝撃を検知するとともに、検知した検知情報（加速度情報）を装置本体１０に送信する機能を有する。この検知情報（加速度情報）には、各動作センサ２を識別可能な個体識別情報が含まれている。これにより、装置本体１０は、いずれの動作センサ２が加速度情報を送信してきたか、すなわち、ユーザがいずれの指をタップしたかを検知することが可能となる。なお、動作センサ２が加速度センサからなる場合は、被衝撃部材を叩かなくても、空中でタップの動きをするだけで、すなわち「エアータップ」をするだけで、自身に加わる衝撃を検知することが可能である。
【００２１】
装置本体１０は例えば手首に装着して使用されるリストバンド型の文字入力装置である。装置本体１０は図３に示すように、受信部（認識部）１１と、表示部１２と、通信部１３と、電源部１４と、記憶部１５と、一時記憶部１６と、制御部（文字抽出部）１７と、を備える。装置本体１０には、上記の他、必要に応じて各種操作を行うための物理キー（操作部）などが設けられていてもよい。
【００２２】
受信部１１は、動作センサ２からの信号を受信する。装置本体１０は、動作センサ２と無線通信により通信されることが好ましいが、有線通信であってもよい。なお、装置本体１０が有線通信により動作センサ２と通信する場合は、装置本体１０は両方の手に１つずつ必要であるとともに、装置本体１０同士が互いに通信されてもよい。
【００２３】
表示部１２はタッチパネル表示部であって、各種操作キー（図４参照）や、制御部１７により抽出された文字情報等を表示する。なお、表示部１２は、文字入力操作を行わないときは、時刻情報を表示していてもよい。この構成であれば、装置本体１０を文字入力デバイスとして使用しないときには、時計として使用することができ、必要に応じて、文字入力デバイスとなる。すなわち、装置本体１０は文字入力機能と時計機能との両方の機能を有する。
【００２４】
通信部１３は、無線通信可能に構成されており、文字入力の対象である外部機器５０（例えば、スマートフォンなどの携帯端末）（入力対象装置）との間で近距離通信される。例えば、通信部１３は表示部１２に表示された文字情報を外部機器５０に送信する。この無線通信の方式は特に限定されない。例えば、Ｂｌｕｅｔｏｏｔｈ（登録商標）やＷｉ−Ｆｉなどの無線通信方式を採用することができる。
【００２５】
電源部１４は、受信部１１、表示部１２、通信部１３、制御部１７などに電力を供給するものであって、ボタン電池などの小型の電池が用いられる。
【００２６】
記憶部１５は、複数の文字毎に予め組み分けされた文字グループを複数有する文字情報を記憶した文字グループデータベースと、各文字グループに含まれる文字情報を記憶した文字データベースと、漢字に関する文字情報を記憶した漢字データベースと、を有する。
【００２７】
図５に示すように、文字グループデータベースには、一方の手（例えば左手）の各指のタップ回数と、複数の文字毎（５０音の行毎）に予め組み分けされた文字グループと、が関連付けられて記憶されている。図５および図６に示すように、例えば、左手の親指、人差し指、中指、薬指、小指のシングルタップに対しては「あ行グループ」「か行グループ」「さ行グループ」「た行グループ」「な行グループ」がそれぞれ関連付けられている。また、左手の親指、人差し指、中指、薬指、小指のダブルタップに対しては「は行グループ」「ま行グループ」「や行グループ」「ら行グループ」「わ行グループ」がそれぞれ関連付けられている。例えば、「あ行グループ」には「あ」「い」「う」「え」「お」が含まれており、「や行グループ」には「や」「ゆ」「よ」が含まれている。なお、左手の全指同時のシングルタップに対しては「Ｅｎｔｅｒ」が関連付けられている。
【００２８】
図７に示すように、文字データベースには、一方の手（例えば左手）により抽出された文字グループと、他方の手（例えば右手）の各指のタップ回数と、抽出される文字と、が関連付けられて記憶されている。図６および図７に示すように、例えば、右手の親指、人差し指、中指、薬指、小指のシングルタップに対しては各文字グループの「あ段」「い段」「う段」「え段」「お段」がそれぞれ関連付けられている。また、図７に示すように、右手の各指の長押しは「濁音」に関連付けされている。また、右手の各指のダブルタップは、「小文字」または「半濁音」に関連付けられている。右手の全指同時のシングルタップに対しては「スペース／変換」が関連付けられている。なお、動きセンサ２が加速度センサからなる場合であっても、指が物に当たることで大きな加速度が生じ、指が静止することで一旦加速度がゼロとなった後、指が持ち上げられるときに小さ目の加速度が生じることで、長押しを検知することが可能である。また、例えば、右手の全指同時のダブルタップに対して、「文字抽出の取消（やり直し）」が関連付けられていてもよい。
【００２９】
本実施形態では、「ひらがな」に関する文字情報を用いて説明するが、言うまでもなく、記憶部１５には「カタカナ」に関する文字情報も記憶されている。「アルファベット」に関しては、第２実施形態で説明する。
【００３０】
一時記憶部１６は、受信部１１が受信した検知情報（加速度情報）や、表示部１２に表示された文字情報等を一時的に記憶する。
【００３１】
制御部１７は、装置本体１０を制御するものであり、受信部１１、表示部１２、通信部１３、電源部１４、記憶部１５および一時記憶部１６に電気的に接続されている。
【００３２】
制御部１７は、動作センサ２からの検知情報に基づいて、文字を抽出し、必要に応じて漢字に変換し、外部機器５０に送信して文字入力を行う機能を有する。
【００３３】
具体的には、制御部１７は、ユーザの一方の手（例えば左手）に装着された動作センサ２の動きに基づいて、複数の文字グループから１個の文字グループを抽出するとともに、ユーザの他方の手（例えば右手）に装着された動作センサ２の動きに基づいて、抽出した文字グループから１個の文字を抽出する機能を有する。本実施形態では、制御部１７は、ユーザの一方の手（例えば左手）のうちのいずれか１本の指がシングルタップまたはダブルタップすることにより、１個の文字グループを抽出するとともに、ユーザの他方の手（例えば右手）のうちのいずれか１本の指がシングルタップまたはダブルタップすることにより、抽出した文字グループから１個の文字を抽出する機能を有する。また、制御部１７は、抽出した文字を表示部１２に表示し、必要に応じて漢字に変換し、文字を確定して外部機器５０に送信する機能を有する。
【００３４】
次に、図４、図５、図７および図８を参照して、外部機器５０への文字入力方法について説明する。ここでは、外部機器５０に“今日が”を入力する場合について説明する。
【００３５】
図８に示すように、ステップＳ１において、ユーザは、外部機器５０を例えばメモ画面やメール画面にして入力待ち状態にしておく。この操作は、外部機器５０を直接操作することにより行ってもよいし、装置本体１０から入力待機信号などを送信することにより行ってもよい。
【００３６】
ステップＳ２において、装置本体１０の表示部１２に表示された「ＡＢＣキー」（図４参照）を押して、「かな入力」を選択する。
【００３７】
ステップＳ３において、ユーザは左手の人差し指をシングルタップする。これにより、左手の人差し指に装着された動作センサ２から装置本体１０に検知情報が送信される。そして、ステップＳ４において、制御部１７は、左手の指が動かされたと判断し、ステップＳ５に進む。なお、左手の指が動かされていない場合は、ステップＳ４において、制御部１７により、左手の指が動かされたか否かの判断が繰り返される。その後、ステップＳ５において、制御部１７は、文字グループデータベース（図５参照）を用いて、「か行グループ」を抽出する。
【００３８】
そして、ステップＳ６において、ユーザは右手の人差し指をシングルタップする。これにより、右手の人差し指に装着された動作センサ２から装置本体１０に検知情報が送信される。そして、ステップＳ７において、制御部１７は、右手の指が動かされたと判断し、ステップＳ８に進む。なお、右手の指が動かされていない場合は、ステップＳ７において、制御部１７により、右手の指が動かされたか否かの判断が繰り返される。その後、ステップＳ８において、制御部１７は、文字データベース（図７参照）を用いて、“き”を抽出する。ステップＳ９において、抽出された“き”は一時記憶部１６に記憶されるとともに、表示部１２に表示される。
【００３９】
そして、ステップＳ１０において、制御部１７は、「スペース／変換」の指示があったか否かを判断する。すなわち、制御部１７は、右手の全指が同時にシングルタップされたか否かを判断する。この例では、まだ右手の全指がシングルタップされないので、ステップＳ１３に進む。
【００４０】
その後、ステップＳ１３において、制御部１７は、「Ｅｎｔｅｒ」の指示があったか否かを判断する。すなわち、制御部１７は、左手の全指が同時にシングルタップされたか否かを判断する。この例では、まだ左手の全指がシングルタップされないので、ステップＳ３に戻る。
【００４１】
以下の説明において、上記ステップＳ３〜Ｓ１３との共通部分については、その説明を省略する。
【００４２】
次に、ステップＳ３において、ユーザは左手の中指をダブルタップする。これにより、ステップＳ５において、制御部１７は、文字グループデータベース（図５参照）を用いて、「や行グループ」を抽出する。
【００４３】
そして、ステップＳ６において、ユーザは右手の小指をダブルタップする。これにより、ステップＳ８において、制御部１７は、文字データベース（図７参照）を用いて、“ょ”を抽出する。
【００４４】
そして、ステップＳ１０において、この例では、まだ右手の全指がシングルタップされないので、ステップＳ１３に進む。
【００４５】
その後、ステップＳ１３において、この例では、まだ左手の全指がシングルタップされないので、ステップＳ３に戻る。
【００４６】
次に、ステップＳ３において、ユーザは左手の親指をシングルタップする。これにより、ステップＳ５において、制御部１７は、文字グループデータベース（図５参照）を用いて、「あ行グループ」を抽出する。
【００４７】
そして、ステップＳ６において、ユーザは右手の中指をシングルタップする。これにより、ステップＳ８において、制御部１７は、文字データベース（図７参照）を用いて、“う”を抽出する。
【００４８】
そして、ユーザは右手の全指を同時にシングルタップする。これにより、ステップＳ１０において、制御部１７は、「スペース／変換」の指示があったと判断する。ステップＳ１１において、制御部１７は、漢字データベースを用いて“今日”を抽出する。ステップＳ１２において、抽出された“今日”は一時記憶部１６に記憶されるとともに、表示部１２には“今日”が表示される。
【００４９】
そして、ユーザは左手の全指を同時にシングルタップする。これにより、ステップＳ１３において、“今日”が確定され、ステップＳ１４に進む。
【００５０】
ステップＳ１４において、制御部１７により、確定した文字を外部機器５０に送信する指示があったか否かが判断される。この例では、まだ、確定した文字を外部機器５０に送信する指示は行われないので、ステップＳ３に戻る。
【００５１】
次に、ステップＳ３において、ユーザは左手の人差し指をシングルタップする。これにより、ステップＳ５において、制御部１７は、文字グループデータベース（図５参照）を用いて、「か行グループ」を抽出する。
【００５２】
そして、ステップＳ６において、ユーザは右手の親指を長押しする。これにより、ステップＳ８において、制御部１７は、文字データベース（図７参照）を用いて、“が”を抽出する。
【００５３】
そして、ステップＳ１０において、この例では、右手の全指によるシングルタップは行われないので、ステップＳ１３に進む。
【００５４】
そして、ユーザは左手の全指を同時にシングルタップする。これにより、ステップＳ１３において、“が”が確定され、ステップＳ１４に進む。
【００５５】
その後、ユーザは、例えば装置本体１０の表示部１２に表示される「送信キー」を押す。これにより、ステップＳ１４において、制御部１７は、確定した文字を外部機器５０に送信する指示があったと判断する。そして、ステップＳ１５において、制御部１７は、確定した文字“今日が”を外部機器５０に送信する。そして、外部機器５０の表示部に“今日が”が入力される。
【００５６】
なお、上記説明では、確定した文字を外部機器５０に送信するために、ユーザが「送信キー」を押す例について示したが、ステップＳ１３においてユーザが左手の全指をシングルタップして文字を確定するのと同時に、その文字を外部機器５０に自動的に送信して入力するようにしてもよい。
【００５７】
また、漢字、濁音、半濁音および小文字への変換や、改行等は、ユーザの指のタップにより行ってもよいし、装置本体１０の表示部１２に表示される各種キーを押すことにより行ってもよい。
【００５８】
本実施形態では、上記のように、ユーザの両手の指の動きを認識する受信部１１を備えることによって、ユーザが指を動かすことにより、受信部１１（装置本体１０）はユーザの指の動きを認識することができる。これにより、文字入力を行うために、キーボードを用いたり音声入力したりする必要がない。このため、キーボードを用いる場合と異なり、キーボードの設置場所を確保する必要がないとともに、持ち運びが不便であるということもない。また、音声入力方式の場合と異なり、声を出せない場所では使用できないという不都合もないし、人の声や話し方によって音声認識率が大きく低下する場合があるという不都合もない。
【００５９】
また、制御部１７は、ユーザの一方の手の指の動きに基づいて、複数の文字グループから１個の文字グループを抽出するとともに、ユーザの他方の手の指の動きに基づいて、抽出した文字グループから１個の文字を抽出する。これにより、ユーザが両方の手の指を動かすだけで、文字の抽出を早く簡単に行うことができる。そして、通信部１３が、抽出された文字を外部機器５０に送信することによって、文字入力の対象である外部機器５０に文字入力を行うことができる。
【００６０】
また、上記のように、制御部１７は、ユーザの一方の手のうちのいずれか１本の指がシングルタップまたはダブルタップすることにより、１個の文字グループを抽出するとともに、ユーザの他方の手のうちのいずれか１本の指がシングルタップまたはダブルタップすることにより、抽出した文字グループから１個の文字を抽出する機能を有する。これにより、ユーザが簡単な指の動作を行うだけで制御部１７により文字の抽出を行うことができるので、文字の抽出をより簡単に行うことができる。
【００６１】
また、上記のように、ユーザの一方の手の指の動きにより、抽出する文字の５０音の行が特定され、ユーザの他方の手の指の動きにより、抽出する文字の５０音の段が特定される。これにより、ユーザが両方の手の指を動かすだけで、文字の抽出をより簡単に行うことができる。
【００６２】
また、上記のように、ユーザの手の指に装着される複数の動作センサ２を備える。これにより、装置本体１０がユーザの手の指の動きを誤認識するのを抑制することができる。
【００６３】
また、上記のように、動作センサ２は、自身の動きを検知する機能を有するとともに、検知した自身の動きに関する検知情報を装置本体１０に送信する機能を有する。これにより、装置本体１０に動作センサ２を画像認識させるためのカメラを搭載する必要がないので、装置本体１０を小型化することができる。また、カメラの視野範囲内で動作センサ２を動かす必要もないので、操作場所の自由度をより向上させることができる。
【００６４】
また、上記のように、動作センサ２は、ユーザの指が被衝撃部材（机、ユーザの体、椅子、壁など）を叩いた際に加わる衝撃を検知する加速度センサである。これにより、ユーザが指をタップするだけで文字の抽出を行うことができるので、文字の抽出をより簡単に行うことができる。
【００６５】
また、上記のように、装置本体１０は、抽出された文字を表示する表示部１２を含み、制御部１７は、ユーザの手の指の動きに基づいて、表示部１２に表示された文字を確定する機能を有する。これにより、文字の確定も簡単に行うことができる。
【００６６】
＜第２実施形態＞
この第２実施形態では、文字入力システム１が「アルファベット」を入力可能に構成されている場合について説明する。
【００６７】
本発明の第２実施形態の文字入力システム１では、記憶部１５は、複数のアルファベット毎に予め組み分けされた文字グループを複数含む文字情報を記憶したアルファベット用の文字グループデータベースと、各文字グループに含まれる文字情報を記憶したアルファベット用の文字データベースと、を有する。
【００６８】
図９に示すように、アルファベット用の文字グループデータベースには、一方の手（例えば左手）の各指のタップ回数と、複数の文字毎に予め組み分けされた文字グループと、が関連付けられて記憶されている。図９および図１０に示すように、例えば、左手の親指、人差し指、中指、薬指、小指のシングルタップに対しては「Ａグループ」「Ｆグループ」「Ｋグループ」「Ｐグループ」「Ｕグループ」がそれぞれ関連付けられている。なお、「Ａグループ」には「Ａ」「Ｂ」「Ｃ」「Ｄ」「Ｅ」が含まれ、「Ｆグループ」には「Ｆ」「Ｇ」「Ｈ」「Ｉ」「Ｊ」が含まれ、「Ｋグループ」には「Ｋ」「Ｌ」「Ｍ」「Ｎ」「Ｏ」が含まれ、「Ｐグループ」には「Ｐ」「Ｑ」「Ｒ」「Ｓ」「Ｔ」が含まれ、「Ｕグループ」には「Ｕ」「Ｖ」「Ｗ」「Ｘ」「Ｙ」が含まれている。
【００６９】
また、左手の親指のダブルタップに対しては「Ｚグループ」が関連付けられている。なお、「Ｚグループ」には「Ｚ」が含まれている他、例えば「：」「；」「＠」「“」「＃」「＄」「％」「＆」「（）」などの記号が含まれていてもよい。また、左手の全指同時のシングルタップに対しては「Ｅｎｔｅｒ」が関連付けられている。
【００７０】
図１１に示すように、アルファベット用の文字データベースには、一方の手（例えば左手）により抽出された文字グループと、他方の手（例えば右手）の各指のタップ回数と、抽出される文字（または記号）と、が関連付けられて記憶されている。図１０および図１１に示すように、右手の親指、人差し指、中指、薬指、小指のシングルタップに対しては各文字グループの「１つ目の文字」「２つ目の文字（または記号）」「３つ目の文字（または記号）」「４つ目の文字（または記号）」「５つ目の文字（または記号）」がそれぞれ関連付けられている。例えば、「Ａグループ」の「３つ目の文字」は「Ｃ」であり、「Ｕグループ」の「５つ目の文字」は「Ｙ」である。また、右手の各指のダブルタップは、「小文字（または記号）」に関連付けられている。なお、右手の全指同時のシングルタップに対しては「スペース／変換」が関連付けられている。
【００７１】
第２実施形態のその他の構成、文字入力方法および効果は、上記第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
例えば、上記実施形態では、文字入力の対象である入力対象装置がスマートフォンである例について示したが、本発明はこれに限らない。入力対象装置は、例えばパーソナルコンピュータ、タブレット端末や、その他の電子機器でもよい。
【００７４】
また、上記実施形態では、受信部（認識部）や文字抽出部が、手首に装着される機器（装置本体）に内蔵される例について示したが、本発明はこれに限らない。受信部や文字抽出部は、例えば、ヘッドマウントディスプレイに内蔵されていてもよいし、パーソナルコンピュータやタブレット端末などの入力対象装置に内蔵されていてもよい。
【００７５】
また、上記実施形態では、自身の動きを検知する装着体を指に装着して、検知情報を装置本体に送信することにより、装置本体が指の動きを認識する例について示したが、本発明はこれに限らない。装置本体にカメラ（認識部）を設け、カメラ画像認識により指の動きを認識してもよい。
【００７６】
また、例えば上記第２実施形態では、右手の指のシングルタップにより大文字が抽出され、ダブルタップにより小文字が抽出されるように構成した例について示したが、本発明はこれに限らない。例えば、装置本体の表示部に「大小切替キー」などを表示してこれを押すことにより、アルファベットの大文字を抽出するか小文字を抽出するかを予め設定してもよい。また、右手の指のダブルタップにより小文字が抽出された後は、シングルタップにより小文字が抽出され、ダブルタップにより大文字が抽出されるように構成してもよい。上記のように構成すれば、小文字を抽出しようとする度に、ダブルタップする必要がないので、タップ回数を低減することができ、文字入力時間を短縮することができる。
【００７７】
また、上記実施形態では、抽出した文字を装置本体の表示部に表示し、ユーザが文字を確定してから、確定した文字を外部機器（入力対象装置）に送信したが、本発明はこれに限らない。入力対象装置が表示部を有する場合には、抽出した文字を入力対象装置に送信して入力対象装置の表示部に表示した後に、ユーザが文字を確定してもよい。
【００７８】
また、上記実施形態では、動作センサが加速度センサである例について示したが、本発明はこれに限らない。動作センサは、例えば、ユーザの指が被衝撃部材を叩いた際に加わる振動を検知する振動センサであってもよいし、指の歪を検知する歪センサであってもよいし、ピエゾ素子のような圧力センサであってもよい。
【００７９】
また、上記実施形態では、制御部が文字抽出部として機能する例について示したが、本発明はこれに限らず、制御部とは別に文字抽出部を設けてもよい。
【００８０】
また、上述した実施形態および変形例の構成を適宜組み合わせて得られる構成についても、本発明の技術的範囲に含まれる。
【符号の説明】
【００８１】
１  文字入力システム
２  動作センサ（装着体、加速度センサ）
１０  装置本体
１１  受信部（認識部）
１２  表示部
１３  通信部
１５  記憶部
１７  制御部（文字抽出部）
５０  外部機器（入力対象装置）
【図１】
2014115688.tif 000003
【図２】
2014115688.tif 000004
【図３】
2014115688.tif 000005
【図４】
2014115688.tif 000006
【図５】
2014115688.tif 000007
【図６】
2014115688.tif 000008
【図７】
2014115688.tif 000009
【図８】
2014115688.tif 000010
【図９】
2014115688.tif 000011
【図１０】
2014115688.tif 000012
【図１１】
2014115688.tif 000013